(57)【要約】【課題】セキュリティの問題を解決すると共に、撮像装置で撮像された画像に含まれる人物を識別し、前記画像に前記人物の情報を記憶することとを目的とする。【解決手段】撮像装置使用者識別情報取得手段で取得された使用者識別情報と、データベース使用者識別情報取得手段で取得された使用者識別情報と、が一致するか否かを判定する識別情報判定手段と、識別情報判定手段で使用者識別情報が一致すると判定された場合、撮像装置より取得された画像内に、人物識別参照データベースに登録されている人物が含まれているか否かを判定する人物判定手段と、人物判定手段で撮像装置より取得された画像内に、人物識別参照データベースに登録されている人物が含まれていると判定された場合、画像の属性情報に人物の人物情報を記録する記録手段と、を有することによって課題を解決する。【選択図】図４
2010010830.tif 000002
【特許請求の範囲】
【請求項１】
接続された撮像装置より、前記撮像装置に登録されている使用者識別情報を取得する撮像装置使用者識別情報取得手段と、
挿入された記憶媒体より、前記記憶媒体に記憶されている、人物識別参照データベースの使用者識別情報を取得するデータベース使用者識別情報取得手段と、
前記撮像装置使用者識別情報取得手段で取得された使用者識別情報と、前記データベース使用者識別情報取得手段で取得された使用者識別情報と、が一致するか否かを判定する識別情報判定手段と、
前記識別情報判定手段で使用者識別情報が一致すると判定された場合、前記撮像装置より取得された画像内に、前記人物識別参照データベースに登録されている人物が含まれているか否かを判定する人物判定手段と、
前記人物判定手段で前記撮像装置より取得された画像内に、前記人物識別参照データベースに登録されている人物が含まれていると判定された場合、前記人物識別参照データベースに記憶された前記人物の人物情報を前記画像の属性情報に記録する記録手段と、
を有することを特徴とする撮像装置のアダプタ装置。
【請求項２】
前記記録手段で前記属性情報に前記人物情報を記録された前記画像をデータ蓄積装置に転送する転送手段を更に有することを特徴とする請求項１に記載の撮像装置のアダプタ装置。
【請求項３】
撮像装置に登録されている使用者識別情報を取得する撮像装置使用者識別情報取得手段と、
挿入された記憶媒体より、前記記憶媒体に記憶されている、人物識別参照データベースの使用者識別情報を取得するデータベース使用者識別情報取得手段と、
前記撮像装置使用者識別情報取得手段で取得された使用者識別情報と、前記データベース使用者識別情報取得手段で取得された使用者識別情報と、が一致するか否かを判定する識別情報判定手段と、
前記識別情報判定手段で使用者識別情報が一致すると判定された場合、撮像手段で撮像された画像内に、前記人物識別参照データベースに登録されている人物が含まれているか否かを判定する人物判定手段と、
前記人物判定手段で前記撮像装置より取得された画像内に、前記人物識別参照データベースに登録されている人物が含まれていると判定された場合、前記人物識別参照データベースに記憶された前記人物の人物情報を前記画像の属性情報に記録する記録手段と、
を有することを特徴とする撮像装置。
【請求項４】
前記記録手段で前記属性情報に前記人物情報を記録された前記画像をデータ蓄積装置に転送する転送手段を更に有することを特徴とする請求項３に記載の撮像装置。
【請求項５】
撮像装置のアダプタ装置における情報処理方法であって、
接続された撮像装置より、前記撮像装置に登録されている使用者識別情報を取得する撮像装置使用者識別情報取得ステップと、
挿入された記憶媒体より、前記記憶媒体に記憶されている、人物識別参照データベースの使用者識別情報を取得するデータベース使用者識別情報取得ステップと、
前記撮像装置使用者識別情報取得ステップで取得された使用者識別情報と、前記データベース使用者識別情報取得ステップで取得された使用者識別情報と、が一致するか否かを判定する識別情報判定ステップと、
前記識別情報判定ステップで使用者識別情報が一致すると判定された場合、前記撮像装置より取得された画像内に、前記人物識別参照データベースに登録されている人物が含まれているか否かを判定する人物判定ステップと、
前記人物判定ステップで前記撮像装置より取得された画像内に、前記人物識別参照データベースに登録されている人物が含まれていると判定された場合、前記人物識別参照データベースに記憶された前記人物の人物情報を前記画像の属性情報に記録する記録ステップと、
を有することを特徴とする情報処理方法。
【請求項６】
撮像装置における情報処理方法であって、
撮像装置に登録されている使用者識別情報を取得する撮像装置使用者識別情報取得ステップと、
挿入された記憶媒体より、前記記憶媒体に記憶されている、人物識別参照データベースの使用者識別情報を取得するデータベース使用者識別情報取得ステップと、
前記撮像装置使用者識別情報取得ステップで取得された使用者識別情報と、前記データベース使用者識別情報取得ステップで取得された使用者識別情報と、が一致するか否かを判定する識別情報判定ステップと、
前記識別情報判定ステップで使用者識別情報が一致すると判定された場合、撮像手段で撮像された画像内に、前記人物識別参照データベースに登録されている人物が含まれているか否かを判定する人物判定ステップと、
前記人物判定ステップで前記撮像装置より取得された画像内に、前記人物識別参照データベースに登録されている人物が含まれていると判定された場合、前記人物識別参照データベースに記憶された前記人物の人物情報を前記画像の属性情報に記録する記録ステップと、
を有することを特徴とする情報処理方法。
【発明の詳細な説明】
【技術分野】
【０００１】
本発明は、撮像装置のアダプタ装置、撮像装置及び情報処理方法に関する。
【背景技術】
【０００２】
ホームネットワークにおいてデジタルＡＶ機器同士やパソコンを相互に接続し、動画、音楽、静止画のデータを相互利用する仕様を策定するための技術仕様であるＤＬＮＡ（Ｄｉｇｉｔａｌ  Ｌｉｖｉｎｇ  Ｎｅｔｗｏｒｋ  Ａｌｌｉａｎｃｅ）が規定された。これによりサーバー機能を持つカメラアダプタ装置にデジタルカメラやＤＶＤビデオカメラ等を接続することによってカメラで撮影されて記録媒体に記録された動画、音楽、静止画ファイルをカメラアダプタ装置に記憶させる。そしてＬＡＮ経由でカメラアダプタ装置にアクセスしてきたネットワークメディアプレーヤー（ＤＭＰ）で動画、音楽、静止画ファイル等を再生させる。或いは動画、音楽、静止画ファイル等をカメラアダプタ装置からストレージ端末に転送させて保存させることができる。
【０００３】
カメラアダプタシステムで、デジタルカメラをカメラアダプタ装置に接続させて撮影された画像をＬＡＮ経由でストレージ端末に転送させて保存する際、撮影画像に写っている人物ごとに画像を分類したい場合がある。このような場合、撮影画像に含まれる人物の顔とサーバー上の人物識別参照データベースとを照合し、自動的に識別して、その人物の名前を画像に記録する技術が特許文献１に記載されている。また、顔識別された撮影画像をパソコン等へ転送する際、識別された人物によって振り分けを行う技術も特許文献２に記載されている。
【０００４】
【特許文献１】特開２００４−６２８６８号公報
【特許文献２】特開２００６−８０８９１号公報
【発明の開示】
【発明が解決しようとする課題】
【０００５】
しかしながら、画像に写っている人物を識別する際に使用する人物識別参照データベースが、サーバー（カメラアダプタ装置）上に置かれていて誰でも使用することができる構成ではセキュリティの問題がある。
【０００６】
本発明はこのような問題点に鑑みなされたもので、セキュリティの問題を解決すると共に、撮像装置で撮像された画像に含まれる人物を識別し、前記画像に前記人物の情報を記憶することを目的とする。
【課題を解決するための手段】
【０００７】
そこで、本発明のアダプタ装置は、接続された撮像装置より、前記撮像装置に登録されている使用者識別情報を取得する撮像装置使用者識別情報取得手段と、挿入された記憶媒体より、前記記憶媒体に記憶されている、人物識別参照データベースの使用者識別情報を取得するデータベース使用者識別情報取得手段と、前記撮像装置使用者識別情報取得手段で取得された使用者識別情報と、前記データベース使用者識別情報取得手段で取得された使用者識別情報と、が一致するか否かを判定する識別情報判定手段と、前記識別情報判定手段で使用者識別情報が一致すると判定された場合、前記撮像装置より取得された画像内に、前記人物識別参照データベースに登録されている人物が含まれているか否かを判定する人物判定手段と、前記人物判定手段で前記撮像装置より取得された画像内に、前記人物識別参照データベースに登録されている人物が含まれていると判定された場合、前記人物識別参照データベースに記憶された前記人物の人物情報を前記画像の属性情報に記録する記録手段と、を有することを特徴とする。
【０００８】
また、本発明の撮像装置は、撮像装置に登録されている使用者識別情報を取得する撮像装置使用者識別情報取得手段と、挿入された記憶媒体より、前記記憶媒体に記憶されている、人物識別参照データベースの使用者識別情報を取得するデータベース使用者識別情報取得手段と、前記撮像装置使用者識別情報取得手段で取得された使用者識別情報と、前記データベース使用者識別情報取得手段で取得された使用者識別情報と、が一致するか否かを判定する識別情報判定手段と、前記識別情報判定手段で使用者識別情報が一致すると判定された場合、撮像手段で撮像された画像内に、前記人物識別参照データベースに登録されている人物が含まれているか否かを判定する人物判定手段と、前記人物判定手段で前記撮像装置より取得された画像内に、前記人物識別参照データベースに登録されている人物が含まれていると判定された場合、前記人物識別参照データベースに記憶された前記人物の人物情報を前記画像の属性情報に記録する記録手段と、を有することを特徴とする。
【発明の効果】
【０００９】
本発明によれば、セキュリティの問題を解決すると共に、撮像装置で撮像された画像に含まれる人物を識別し、前記画像に前記人物の情報を記憶することができる。
【発明を実施するための最良の形態】
【００１０】
以下、本発明の実施形態について図面に基づいて説明する。
【００１１】
＜実施形態１＞
図１は、カメラアダプタシステムのシステム構成の一例を示す図である。
カメラアダプタシステムでは、デジタルカメラ２００、カメラアダプタ装置１００、ディスプレイアダプタ端末３００、ディスプレイ３０１、ストレージ端末４００及びプリンタ端末５００が家庭内のＬＡＮ７００を介して接続されている。
ユーザは、通常、外出時にデジタルカメラ２００に電池或いはバッテリを装着して持ち出し、撮影を行ない、帰宅時にデジタルカメラ２００をカメラアダプタ装置１００に装着する。カメラアダプタ装置１００は、デジタルカメラ２００で撮影（撮像）されたＭＪＰＥＧの動画ストリーム又はデジタルカメラ２００で撮影されたＪＰＥＧ等の静止画ファイルを、無線アクセスポイント６００を介してディスプレイアダプタ端末３００等に配信する。
【００１２】
ＣＦカード１０８は、カメラアダプタ装置１００に着脱可能な外部メディアストレージである。ＣＦカード１０８は、デジタルカメラ２００がカメラアダプタ装置１００に装着された際、装着以前に撮影された画像又は装着状態で撮影された画像を記録保存することができる。ユーザは、ＣＦカード１０８を持ち運びすることができる。無線アクセスポイント６００は、カメラアダプタ装置１００との間で無線通信を行ない、パケット通信網であるＬＡＮ７００との接続を仲介する。リモートコントローラ３０２は、ユーザ操作に基づいて、ディスプレイアダプタ端末３００の操作を行ない、更にＬＡＮ７００、無線アクセスポイント６００を介してデジタルカメラ２００を装着したカメラアダプタ装置１００を操作することができる。
【００１３】
ディスプレイアダプタ端末３００は、デジタルカメラ２００及びカメラアダプタ装置１００から配信された各メディアストリームを受信し、様々なフォーマットによって符号化された各メディアを復号化してディスプレイ３０１へ出力する。ストレージ端末４００は、デジタルカメラ２００で撮影された画像を、ＬＡＮ７００経由で取得し、記録する、データ蓄積装置の一例である。ストレージ端末４００は、更に画像の管理や検索等の電子アルバムや動画編集のようなアプリケーションを備えていてもよい。プリンタ端末５００は、デジタルカメラ２００及びカメラアダプタ装置１００から配信された各メディアストリームを受信し、様々なフォーマットによって符号化された各メディアを復号化して印刷する。
このカメラアダプタシステムの構成において、デジタルカメラ２００、カメラアダプタ装置１００の各機能の詳細を説明する。
【００１４】
図２は、デジタルカメラ２００のハードウェア構成の一例を示す図である。
撮像部２０１は、ＣＣＤセンサーやＣＭＯＳセンサー等の撮像素子光電変換された信号に所定の処理を施し、画像処理部２０３へ出力させる。画像処理部２０３は、撮像部２０１からのデジタル画像信号に対して所定の画素補間や色変換処理を行う。また、画像処理部２０３は、撮像したデジタル画像信号を用いて所定の演算処理を行ない、システム制御部２１５が得られた演算結果に基づいて、ＡＦ、ＡＥ処理を行なっている。更に、画像処理部２０３は、撮影したデジタル画像信号を用いて所定の演算処理を行ない、得られた結果に基づいてＴＴＬ方式のＡＷＢ処理も行なっている。
【００１５】
メモリ２０４は、撮影された静止画や動画を格納する。メモリ２０４は、所定の枚数の静止画や所定時間の動画を格納するのに十分な記憶量を備えている。また、メモリ２０４は、画像表示・音声出力部２０５に画像を表示し、音声を出力するためのメモリとしての機能も有する。画像表示・音声出力部２０５は、ＴＦＴ、ＬＣＤ等とスピーカーとから成る。画像表示・音声出力部２０５によって、メモリ２０４に書き込まれた表示用の画像データと音声データとが表示・出力される。デジタルカメラ２００はこの画像表示・音声出力部２０５を用いて、撮像された画像を逐次表示して、電子ビューファインダー機能を実現する。
【００１６】
画像・音声符号化部２１２は、Ｙ、Ｃｒ／Ｃｂ形式のデジタル画像信号と音声入力部２０２より録音した音声信号と共に所定の例えば動画であればＭｏｔｉｏｎＪＰＥＧ、静止画であればＪＰＥＧ等の規格に基づく圧縮伸長及び多重化を行う。画像・音声符号化部２１２は、メモリ２０４に格納された画像と音声とを読み込んで圧縮処理或いは伸長処理を行ない、処理を終えた動画・静止画・音声データを再びメモリ２０４に書き込む。
音声入力部２０２は、音声の録音又は動画の撮影の音声入力として使われる。システム制御部２１５は、デジタルカメラ２００全体を制御する。フラッシュメモリ２０９は、電気的に消去・記録可能な不揮発性メモリである。操作部２１０は、各種ボタンやタッチパネルから成る。ユーザは、操作部２１０のメニューボタン、セットボタン、十字ボタン等を使用し、デジタルカメラ２００の撮影機能に関わる設定の全てを行う。
【００１７】
電源制御部２０６は、電池検出回路、ＤＣ−ＤＣコンバータ、通電するブロックを切り替えるスイッチ回路等により構成されており、電池の装着の有無、電池の種類、電池残量の検出を行う。そして、電源制御部２０６は、検出結果及びシステム制御部２１５からの指示に基づいて必要な電圧を必要な期間、デジタルカメラ２００の各部へ供給する。バッテリ２０７は、ニッカド電池やリチウムイオン電池等の二次電池である。ＤＣカプラ及びバッテリ充電部２０８は、デジタルカメラ２００がカメラアダプタ装置１００に接続され、電源ケーブル１０９を介して電力供給を受ける際にアダプタ及びバッテリ２０７に対して給電を行う。
ＵＳＢ  Ｉ／Ｆ部２１１は、カメラアダプタ装置１００と画像や制御データのやり取りを行う通信インターフェースである。本実施形態では、ＵＳＢ１１０での通信を示しているが、１３９４等の他の通信方法で行なってもよい。但し、この場合、ＵＳＢ  Ｉ／Ｆ部２１１は各々の通信規格に準拠したインターフェースとなる。ＳＤカード２１４は、記録メディア（記録媒体）である。デジタルカメラ２００は、撮影（撮像）した画像をＳＤ  Ｉ／Ｆ２１３を介してＳＤカードに書き込む。ＳＤカード２１４は、ＣＦカードやマイクロドライブ等の他の記録メディアにすることもできる。但し、この場合、ＳＤ  Ｉ／Ｆ２１３は各々の記録メディアの規格に準拠したインターフェースとなる。
【００１８】
図３は、カメラアダプタ装置１００のハードウェア構成の一例を示す図である。
電源供給部１０２は、デジタルカメラ２００がカメラアダプタ装置１００に接続された際に電源ケーブル１０９を介して電力供給を行う。デジタルカメラ２００がバッテリ２０７の装着状態でカメラアダプタ装置１００と接続された場合、電源供給部１０２は、バッテリ２０７の充電のための電力供給を行う。通信インターフェースＵＳＢ  Ｉ／Ｆ１０３は、デジタルカメラ２００との画像や制御データのやり取りを行う。フラッシュメモリ１０６は、電気的に消去・記録可能な不揮発性メモリである。
ユーザは、スイッチボタン１０７を押すことで例えば、デジタルカメラ２００のＳＤカード２１４に記録されている動画或いは静止画ファイルをカメラアダプタ装置１００に装着されている記録メディアのＣＦカード１０８にコピーする。或いは無線ＬＡＮ  Ｉ／Ｆ１０４、無線アクセスポイント６００及びＬＡＮ７００を介してディスプレイアダプタ端末３００へ画像を転送する等のカメラアダプタ装置１００のある機能動作の開始をさせることができる。
【００１９】
ＣＦカード１０８は、記録メディアである。カメラアダプタ装置１００は、デジタルカメラ２００で撮影された動画ファイル或いは静止画ファイルをＵＳＢ１１０による通信によりＵＳＢ  Ｉ／Ｆ１０３、ＣＦ  Ｉ／１０５を介してＣＦカード１０８に書き込む。そして更にカメラアダプタ装置１００は、ＣＦカード１０８上に書き込まれた動画或いは静止画ファイルをＣＦ  Ｉ／Ｆ１０５、無線ＬＡＮ  Ｉ／Ｆ１０４、無線アクセスポイント６００、ＬＡＮ７００を介して、ディスプレイアダプタ端末３００へ転送する。また、ＣＦカード１０８には、撮影された画像の被写体である人物の顔識別を行うための参照データである人物識別参照データベースが記憶されている。カメラアダプタ装置１００は人物識別参照データベースに登録されている顔データとデジタルカメラ２００で撮影された画像に写っている人物とを照合して一致した場合、人物のメールアドレス等の人物ＩＤを画像データのメタデータとして記録しながら転送を行う。ＣＦカード１０８は、ＳＤカードやマイクロドライブ等の他の記録メディアであってもよい。但し、この場合、ＣＦ  Ｉ／１０５は各々の記録メディアの規格に準拠したインターフェースとなる。無線ＬＡＮ  Ｉ／Ｆ１０４は、アンテナ部１１１により無線アクセスポイント６００との無線通信の適応化を測る。システム制御部１０１は、カメラアダプタ装置１００全体を制御し、電源供給部１０２、ＵＳＢ  Ｉ／Ｆ１０３、ＣＦ  Ｉ／Ｆ１０５、無線ＬＡＮ  Ｉ／１０４の各部に対して検知や指示を行う。
【００２０】
カメラアダプタ装置１００、無線アクセスポイント６００、ディスプレイアダプタ端末３００、プリンタ端末５００及びストレージ端末４００等、それぞれネットワークに接続される装置の数は、図１で示したような本実施形態に限定されるものではない。アドレス等で識別できれば多数存在してもよい。ＬＡＮ７００に関しても、カメラ制御信号、圧縮した画像を通すのに十分な帯域があるインターネットやイントラネット等のネットワークであれば何でもよい。また、ディスプレイアダプタ端末３００は例えばＰＣ、携帯電話やＰＤＡのようなものや、ネットワーク対応テレビのようなものを想定している。したがって、ＬＡＮ７００への物理的な接続形態として有線だけでなく無線の場合もあり得るが、プロトコル的に接続されていれば、物理的な形態はどのようなものであってもよい。
【００２１】
上記の構成で、ユーザは、デジタルカメラ２００をカメラアダプタ装置１００に接続させる。そしてディスプレイアダプタ端末３００又はストレージ端末４００の受信端末からの操作により、ＬＡＮ７００を経由してデジタルカメラ２００内に装着しているＳＤカード２１４に記録されている静止画ファイルをストレージ端末４００へ転送させて保存させる。以下、カメラアダプタシステムの動作を説明する。
【００２２】
図４は、カメラアダプタシステムの処理の一例を示すフローチャートである。
ユーザは、リモートコントローラ３０２を操作し、ディスプレイアダプタ端末３００、ＬＡＮ７００、無線アクセスポイント６００、カメラアダプタ装置１００等を介して、デジタルカメラ２００のフラッシュメモリ２０９に使用者の名前又はＩＤを登録しておく（ステップＳ１０）。以後、登録したＩＤを使用者ＩＤ（使用者識別情報）として説明をするが、デジタルカメラ２００に登録しておく使用者ＩＤは複数でもよい。また、ユーザは、デジタルカメラ２００を直接操作して、使用者ＩＤを登録してもよい。
ユーザは、デジタルカメラ２００を用いた撮影を行う（ステップＳ１１）。ユーザは、自宅のストレージ端末４００に画像を保存させる場合、帰宅後、自宅の家庭内のＬＡＮに接続されているカメラアダプタ装置１００からストレージ端末４００に画像を転送させる。或いは外出先から自宅のストレージ端末４００へ画像を転送させる場合、外出先のカメラアダプタシステムに備え付けてあるカメラアダプタ装置１００からリモートアクセスという手段で自宅のストレージ端末４００に画像を転送させて保存させる。リモートアクセスは、結果的に仮想状態で遠隔地のＬＡＮと自宅の家庭内のＬＡＮとを同一に見えるようにするという仕組みである。そのため、ここでは自宅の家庭内のＬＡＮに接続されているカメラアダプタ装置１００から自宅のストレージ端末４００に画像を転送させる保存させる例を用いて説明を行う。
【００２３】
ユーザは、外出先から自宅に帰宅後、まず、画像を保存させる前に、自分の使用者ＩＤを登録した画像の顔識別を行うための人物識別参照データベースが組み込まれているＣＦカード１０８をカメラアダプタ装置１００に挿入する（ステップＳ１２）。この人物識別参照データベースは、人物の顔情報とその人物のメールアドレス等の人物ＩＤとを対応させてあるデータベースであり、予めユーザが作成してＣＦカード１０８に記録しておき、新規のデータができたときにはユーザが随時更新する。ＣＦカード１０８をカメラアダプタ装置１００に挿入した後、ユーザは、デジタルカメラ２００をカメラアダプタ装置１００に接続する（ステップＳ１３）。
【００２４】
カメラアダプタ装置１００のシステム制御部１０１は、デジタルカメラ２００のシステム制御部２１５に対してデジタルカメラ２００のフラッシュメモリ２０９に登録されている使用者ＩＤを渡すよう指示を出し、ＵＳＢ１１０を介して使用者ＩＤを読み取る。つまり、カメラアダプタ装置１００のシステム制御部１０１は、デジタルカメラ２００から使用者ＩＤを取得する（撮像装置使用者識別情報取得）。また、カメラアダプタ装置１００のシステム制御部１０１は、ＣＦカード１０８に記録されてある人物識別参照データベースの使用者ＩＤを取得する（データベース使用者識別情報取得）。
そして、ステップＳ１４において、カメラアダプタ装置１００は、デジタルカメラ２００から読み取った使用者ＩＤと、人物識別参照データベースの使用者ＩＤと、が一致するか否かを判定する（識別情報判定）。判定の結果、使用者ＩＤが一致した場合、カメラアダプタ装置１００は、ステップＳ１５の処理に移行する。一方、判定の結果、使用者ＩＤが一致しなかった場合、カメラアダプタ装置１００は、ステップＳ２０の処理に移行する。
ステップＳ２０において、カメラアダプタ装置１００は、デジタルカメラ２００内のＳＤカード２１４内に記録されている静止画ファイルを全てそのままストレージ端末４００へ転送させるか否かの問い合わせをユーザに対して行う。なお、カメラアダプタ装置１００は、ユーザに対する問い合わせをデジタルカメラ２００の画像表示・音声出力部２０５等に表示し、デジタルカメラ２００から問い合わせの結果を受け取るようにしてもよい。また、カメラアダプタ装置１００は、ユーザに対する問い合わせを、ネットワークを介して、ディスプレイ３０１に表示させ、リモートコントローラ３０２又はディスプレイアダプタ端末３００から問い合わせの結果を受け取るようにしてもよい。
【００２５】
カメラアダプタ装置１００は、ＯＫの場合、全ての静止画ファイルを全てそのままストレージ端末４００へ転送させ（ステップＳ２１）、処理を終了し、ＮＧの場合には、そのまま処理を終了する。
【００２６】
一方、ステップＳ１５において、カメラアダプタ装置１００のシステム制御部１０１は、デジタルカメラ２００に対し、ＵＳＢ１１０によりデジタルカメラ２００内のＳＤカード２１４内に記録されている静止画ファイルを転送するように通知する。そして、カメラアダプタ装置１００のシステム制御部１０１は、静止画ファイルを１枚ずつ読み込み、読み込んだ画像から顔を検出する。例えば、カメラアダプタ装置１００は、何人かの顔パターンから生成された平均顔パターンをテンプレートとし、読み込んだ画像と、テンプレートと、の相関を求め、相関値が高い領域を顔とする。
カメラアダプタ装置１００は、検出した顔に関する情報（顔情報）に基づいて、人物識別参照データベースの顔情報を検索し、該当する顔情報が存在するか否かを判定する（ステップＳ１６）。つまり、カメラアダプタ装置１００は、画像内に、人物識別参照データベースに登録されている人物が含まれているか否かを判定する（人物判定）。該当する顔情報が存在する（画像内に、人物識別参照データベースに登録されている人物が含まれている）場合、カメラアダプタ装置１００は、ステップＳ１７の処理に移行する。一方、該当する顔情報が存在しない（画像内に、人物識別参照データベースに登録されている人物が含まれていない）場合、カメラアダプタ装置１００は、ステップＳ１８の処理に移行する。
【００２７】
ステップＳ１７において、カメラアダプタ装置１００は、ＥＸＩＦ形式の静止画フォーマットに従って記録されている画像（静止画ファイル）のＥＸＩＦ情報（属性情報）のある項目に、該当する人物のメールアドレス等の人物ＩＤ（人物情報）を記録する。カメラアダプタ装置１００は、例えば、メーカー独自情報の項目に人物ＩＤの項目を作成して、作製した項目に人物ＩＤを記録してもよい。
カメラアダプタ装置１００は、無線ＬＡＮ  Ｉ／Ｆ１０４からＬＡＮ７００を介して、画像（静止画ファイル）をストレージ端末４００へ転送する（ステップＳ１８）。このようにして、カメラアダプタ装置１００は、デジタルカメラ２００内のＳＤカード２１４内に記録されている静止画ファイルの全てを検索してストレージ端末４００へ転送して、なくなり次第、処理する（ステップＳ１９）。
【００２８】
ストレージ端末４００へ転送され、保存された静止画ファイルには、人物識別参照データベースで検索されて該当する人物の写っている静止画ファイルの場合、ＥＸＩＦ情報に人物ＩＤが記録されている。例えば、ストレージ端末４００は、この人物ＩＤごとに、蓄積した静止画ファイルを仕分けることができる。
カメラアダプタ装置１００とストレージ端末４００とは、基本的にはＴＣＰ／ＩＰによる通信を行うが、ＨＴＴＰ或いはＳＩＰ等によるアプリケーション通信プロトコルにしたがって通信するようにしてもよい。
【００２９】
＜実施形態２＞
実施形態１では、カメラアダプタ装置１００に人物識別参照データベースが記録してあるＣＦカード１０８を挿入して、人物識別照合を行なうよう説明を行った。しかしながら、人物識別参照データベースをデジタルカメラ２００内のＳＤカード２１４内に記録して使用するようにしてもよい。この場合、デジタルカメラ２００は、撮影を開始する前に、ＳＤカード２１４内に人物識別参照データベースが記録される時点で、デジタルカメラ２００に登録されている使用者ＩＤと人物識別参照データベースの使用者ＩＤとを照合する。この時点で、使用者ＩＤが一致した場合、デジタルカメラ２００は、撮影を行ないながら、デジタルカメラ２００内のＳＤカード２１４内に記録された人物識別参照データベースで人物識別照合を行う。この際、デジタルカメラ２００は、該当する人物ＩＤを画像のＥＸＩＦ情報に書き込みながら、ＳＤカード２１４に画像を記録していくことになる。
【００３０】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００３１】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００３２】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００３３】
本発明を前記記憶媒体に適用する場合、その記憶媒体（コンピュータ読み取り可能な記憶媒体）には、先に説明したフローチャートに対応するプログラムコードが格納されることになる。
【００３４】
以上、上述した各実施形態によれば、セキュリティの問題を解決すると共に、撮像装置で撮像された画像に含まれる人物を識別し、前記画像に前記人物の情報を記憶することができる。
上述した各実施形態によれば、カメラアダプタ装置１００又はデジタルカメラ２００は、予めデジタルカメラに登録していた使用者を示す使用者ＩＤと人物識別参照データベースの使用者ＩＤとを照合する。そして照合の結果、一致した場合、カメラアダプタ装置１００又はデジタルカメラ２００は、画像に含まれる顔を検出（抽出）し、人物識別参照データベースと照合して、その人物の人物ＩＤを画像のメタデータとして記録する。そして、カメラアダプタ装置１００又はデジタルカメラ２００は、ＬＡＮ経由でストレージ端末４００に画像を転送させて保存させるようにすることができる。
更に、上述した各実施形態によれば、可搬の外部メディアストレージに人物識別参照データベースが記憶されているので、ユーザは持ち運ぶことができる。したがって、ユーザは、自分専用の人物識別参照データベースを持ち運んで他のカメラアダプタシステム上で顔識別させ、画像をストレージ端末に転送させて保存させることができる。
【００３５】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００３６】
【図１】カメラアダプタシステムのシステム構成の一例を示す図である。
【図２】デジタルカメラ２００のハードウェア構成の一例を示す図である。
【図３】カメラアダプタ装置１００のハードウェア構成の一例を示す図である。
【図４】カメラアダプタシステムの処理の一例を示すフローチャートである。
【符号の説明】
【００３７】
１００  カメラアダプタ装置
２００  デジタルカメラ
３００  ディスプレイアダプタ端末
３０１  ディスプレイ
３０２  リモートコントローラ
４００  ストレージ端末
５００  プリンタ端末
６００  無線アクセスポイント
７００  ＬＡＮ
【図１】
2010010830.tif 000003
【図２】
2010010830.tif 000004
【図３】
2010010830.tif 000005
【図４】
2010010830.tif 000006